(57)【要約】【課題】即応性を確保しつつ消費電力を削減することを実現する。【解決手段】外部からの入力に基づき駆動するＲＦＩＤタグＩＣ部と、第１の制御部とを備え、前記ＲＦＩＤタグＩＣ部は、リーダライタから近接無線通信により情報を受信する第１の通信部、前記第１の通信部が受信した前記情報を記憶する記憶部、及び前記記憶部に前記情報が記憶されたことを検知すると起動信号を前記第１の制御部に出力する第２の制御部、を有し、前記第１の制御部は、前記第２の制御部から前記起動信号を入力されることで起動し、前記記憶部に記憶された前記情報に基づくコマンド処理を実行する、情報処理装置。【選択図】図２
2019149691.tif 000002
【特許請求の範囲】
【請求項１】
外部からの入力に基づき駆動するＲＦＩＤタグＩＣ部と、第１の制御部とを備え、
前記ＲＦＩＤタグＩＣ部は、リーダライタから近接無線通信により情報を受信する第１の通信部、前記第１の通信部が受信した前記情報を記憶する記憶部、及び前記記憶部に前記情報が記憶されたことを検知すると起動信号を前記第１の制御部に出力する第２の制御部、を有し、
前記第１の制御部は、前記第２の制御部から前記起動信号を入力されることで起動し、前記記憶部に記憶された前記情報に基づくコマンド処理を実行する、情報処理装置。
【請求項２】
前記第１の制御部は、前記コマンド処理の終了後に休止する、請求項１に記載の情報処理装置。
【請求項３】
前記第１の制御部は、前記情報処理装置の起動時に初期設定処理を行い、前記初期設定処理の終了後に休止する、請求項１または２に記載の情報処理装置。
【請求項４】
前記情報処理装置は、無線通信を行う第２の通信部をさらに備え、
前記第２の通信部は、送信機能のみを利用可能である、請求項１〜３のいずれか一項に記載の情報処理装置。
【請求項５】
前記コマンド処理は、前記第１の制御部の内部パラメータの設定を行う処理である、請求項１〜４のいずれか一項に記載の情報処理装置。
【請求項６】
前記第１の制御部は、前記コマンド処理の実行結果を前記記憶部に記憶させる、請求項１〜５のいずれか一項に記載の情報処理装置。
【発明の詳細な説明】
【技術分野】
【０００１】
本発明は、情報処理装置に関する。
【背景技術】
【０００２】
近年、無線通信によりデータ入力や処理を実行するための通信装置が広く用いられている。当該通信装置は、例えば、無線通信による受信機能を搭載している。しかし、データの受信を検知するために当該受信機能が常に起動した状態にされていると、通信装置の消費電力が増加してしまう。そこで、通信装置の消費電力を削減するための技術が開発されている。
【０００３】
上述した技術に関連し、例えば、下記特許文献１では、センサと発信機を間欠的に動作させ、センサと発信機が動作していない時にはこれらへの電源供給が断たれ、さらに制御部の制御機能もスリープ状態にされることで消費電力を削減する技術が開示されている。
【０００４】
また、参考までに、下記特許文献２では、ＲＦＩＤタグのメモリの情報が書き換えられたか否かを省電力状態にて定期的に監視し、書き換えを検知すると通常状態に遷移し、書き換えられた情報に従い動作する装置に関する技術が開示されている。
【０００５】
また、下記特許文献３では、ウェイクアップ信号を受信すると起動する通信装置に関する技術が開示されている。
【０００６】
また、下記特許文献４では、電源がある通信装置と電源がない通信装置間にて、電源がある通信装置から供給される電源により起動するＲＦＩＤリーダライタを用いることで、電源がない通信装置のＲＦＩＤタグの情報を読み取り設定する技術が開示されている。
【０００７】
また、下記特許文献５では、ＲＦＩＤタグに対する書き込みに応じて、表示器の表示が変化することで、ＲＦＩＤタグへの書き込みが完了したか否かの判定が可能な技術が開示されている。
【先行技術文献】
【特許文献】
【０００８】
【特許文献１】特開２００４−３５５１６４号公報
【特許文献２】特開２０１６−１７７７６９号公報
【特許文献３】特開２００４−２５４１９６号公報
【特許文献４】特開２０１０−１０３６５８号公報
【特許文献５】特開２０１０−２１８２５６号公報
【発明の概要】
【発明が解決しようとする課題】
【０００９】
特許文献１の装置の構成では、有線により接続することで、外部からのパラメータ変更等に関するデータ入力や命令を実行することができる。ただし、当該装置をコネクタ等が隠れる場所に設置せざるを得ない場合、有線による接続が困難となる可能性があるため、データ入力や命令の実行等の保守機能は無線通信により実現されることが望ましい。しかし、無線通信による受信機能が用いられると、消費電力が増加してしまう。また、消費電力の増加を避けるために、無線通信による受信機能を間欠的に動作させると、受信に対する即応性が損なわれてしまう。
【００１０】
そこで、本発明は、上記問題に鑑みてなされたものであり、本発明の目的とするところは、即応性を確保しつつ消費電力を削減することが可能な、新規かつ改良された情報処理装置を提供することにある。
【課題を解決するための手段】
【００１１】
上記課題を解決するために、本発明のある観点によれば、外部からの入力に基づき駆動するＲＦＩＤタグＩＣ部と、第１の制御部とを備え、前記ＲＦＩＤタグＩＣ部は、リーダライタから近接無線通信により情報を受信する第１の通信部、前記第１の通信部が受信した前記情報を記憶する記憶部、及び前記記憶部に前記情報が記憶されたことを検知すると起動信号を前記第１の制御部に出力する第２の制御部、を有し、前記第１の制御部は、前記第２の制御部から前記起動信号を入力されることで起動し、前記記憶部に記憶された前記情報に基づくコマンド処理を実行する、情報処理装置が提供される。
【００１２】
前記第１の制御部は、前記コマンド処理の終了後に休止してもよい。
【００１３】
前記第１の制御部は、前記情報処理装置の起動時に初期設定処理を行い、前記初期設定処理の終了後に休止してもよい。
【００１４】
前記情報処理装置は、無線通信を行う第２の通信部をさらに備え、前記第２の通信部は、送信機能のみを利用可能であってもよい。
【００１５】
前記コマンド処理は、前記第１の制御部の内部パラメータの設定を行う処理であってもよい。
【００１６】
前記第１の制御部は、前記コマンド処理の実行結果を前記記憶部に記憶させてもよい。
【発明の効果】
【００１７】
以上説明したように本発明によれば、即応性を確保しつつ消費電力を削減することが可能である。
【図面の簡単な説明】
【００１８】
【図１】本発明の実施形態に係る情報処理システムの概要を示す説明図である。
【図２】同実施形態に係る無線送信端末の機能構成例を示すブロック図である。
【図３】同実施形態に係るＲＦＩＤタグＩＣ部の機能構成例を示すブロック図である。
【図４】同実施形態に係る起動処理の例を示すフローチャートである。
【図５】同実施形態に係る検知処理の例を示すフローチャートである。
【図６】本発明の第１の実施形態に係るコマンド処理の例を示すフローチャートである。
【図７】本発明の第２の実施形態に係るコマンド処理の例を示すフローチャートである。
【図８】本発明の実施形態に係る無線送信端末のハードウェア構成例を示すブロック図である。
【発明を実施するための形態】
【００１９】
以下に添付図面を参照しながら、本発明の実施の形態について詳細に説明する。なお、本明細書および図面において、実質的に同一の機能構成を有する構成要素については、同一の符号を付することにより重複説明を省略する。
【００２０】
また、本明細書および図面において、実質的に同一の機能構成または論理的意義を有する複数の構成要素を、同一の符号の後に異なるアルファベットを付して区別する場合もある。ただし、実質的に同一の機能構成または論理的意義を有する複数の構成要素の各々を特に区別する必要がない場合、複数の構成要素の各々に同一符号のみを付する。
【００２１】
＜＜１．情報処理システムの概要＞＞
本発明の実施形態は、複数の無線通信端末間における情報処理を、端末同士が非接触な状態で実行する情報処理システムに関する。以下では、図１を参照しながら、本発明の実施形態に係る情報処理システムの概要について説明する。
【００２２】
図１は、本発明の実施形態に係る情報処理システムの概要を示す説明図である。図１に示すように、本発明の実施形態の情報処理システムは、無線送信端末１０、ＲＦＩＤ（Ｒａｄｉｏ  Ｆｒｅｑｕｅｎｃｙ  Ｉｄｅｎｔｉｆｉｃａｔｉｏｎ）リーダライタ２０、保守端末３０、無線基地局４０で構成される。また、保守端末３０と無線基地局４０は、ネットワーク５０で接続されている。
【００２３】
本発明の実施形態の情報処理システムでは、無線送信端末１０は、搭載されたセンサが計測した情報を他の装置へ無線通信により送信する情報処理装置である。なお、本発明の実施形態における無線送信端末１０は、無線通信において当該情報を送信する送信機能のみを有する送信専用の端末である。
【００２４】
なお、本発明の実施形態の情報処理システムにおける無線通信の無線方式として、例えば、小電力セキュリティシステム（標準規格ＳＴＤ−３０）が用いられることが好ましい。小電力セキュリティシステムは、主に火災、盗難、及びその他の非常の通報、またはこれらに付随する制御を行うことを目的に用いられる。なお、無線方式は、小電力セキュリティシステムに限定されず、任意の無線方式が用いられてもよい。
【００２５】
小電力セキュリティシステムを用いた無線送信端末１０の利用例の１つとして、防災に関するシステムで利用することが挙げられる。例えば、無線送信端末１０は、防災検知システムでの利用が想定される。具体的に、無線送信端末１０に搭載されたセンサが河川の水位が所定の位置を超えたことを計測すると、その旨を管理端末等に送信した上で警告を通知する水位監視システムでの利用が想定される。
【００２６】
また、無線送信端末１０は、防災関連の機材の管理システムでの利用も想定される。具体的に、無線送信端末１０は、消火器に搭載されることで、消火器が設置されている位置や、消火器の有効期限等の情報を管理端末に定期的に送信し、当該情報に基づき消火器の管理を行うシステムに利用されることも想定される。
【００２７】
また、無線送信端末１０は、ＲＦＩＤタグを備えており、ＲＦＩＤリーダライタ２０と通信を行うことができる。例えば、無線送信端末１０は、Ｔｙｐｅ−Ａ、Ｔｙｐｅ−Ｂ、Ｔｙｐｅ−Ｆなどの近接無線通信（ＮＦＣ：Ｎｅａｒ  Ｆｉｅｌｄ  Ｃｏｍｍｕｎｉｃａｔｉｏｎ）によってＲＦＩＤリーダライタ２０と通信を行う。これにより、無線送信端末１０は、ＲＦＩＤリーダライタ２０からパラメータ設定等の保守に関する情報を受信することができる。
【００２８】
ＲＦＩＤリーダライタ２０は、無線送信端末１０の情報の読み込み、及び書き込みを行う端末である。例えば、ＲＦＩＤリーダライタ２０は、近接無線通信により無線送信端末１０と通信を行い、無線送信端末１０の保守に関する設定情報等を無線送信端末１０の記憶部に書き込む処理を行う。この時、ＲＦＩＤリーダライタ２０は、保守端末３０から受信した情報を無線送信端末１０の記憶部に書き込む処理を行う。
【００２９】
また、ＲＦＩＤリーダライタ２０は、近接無線通信により無線送信端末１０と通信を行い、無線送信端末１０が実行した処理に関する情報を無線送信端末１０から読み込む処理を行う。
【００３０】
保守端末３０は、無線送信端末１０の保守を行う端末である。例えば、保守端末３０は、パーソナルコンピュータ（ＰＣ）、またはタブレット端末等の端末である。また、保守端末３０は、ＲＦＩＤリーダライタ２０を介して無線送信端末１０の保守を行う。具体的に、保守端末３０は、無線送信端末１０の保守に関する情報をＲＦＩＤリーダライタ２０に送信し、当該情報を受信したＲＦＩＤリーダライタ２０は、近距離無線通信により当該情報を無線送信端末１０の記憶部に書き込む処理を行う。
【００３１】
上述のように、保守端末３０と無線送信端末１０とは、ＲＦＩＤリーダライタ２０を介して通信を行う。つまり、本発明の実施形態の情報処理システムにおいて、ＲＦＩＤリーダライタ２０は、保守端末３０と無線送信端末１０との通信を中継する中継装置の役目を果たす。
【００３２】
また、保守端末３０と無線送信端末１０とは、無線基地局４０、及びネットワーク５０を介して通信を行ってもよい。これにより、保守端末３０と無線送信端末１０は、ＲＦＩＤリーダライタ２０を中継せずに、互いに直接通信を行うことができる。
【００３３】
無線基地局４０は、無線送信端末１０、及び保守端末３０と通信を行う無線局である。無線基地局４０は、無線送信端末１０、及び保守端末３０と任意の通信方式で接続され、通信を行う。例えば、無線基地局４０は、無線送信端末１０と無線通信によって接続される。また、無線基地局４０は、ネットワーク５０と接続されることで、保守端末３０と通信を行う。
【００３４】
保守端末３０と無線基地局４０とは、例えば、ネットワーク５０を介して無線または有線で接続され、当該ネットワーク５０を介した通信（以下、ネットワーク通信とも称される）によって、通信を行う。本発明の実施形態に係るネットワーク５０としては、例えば、ＬＡＮ（Ｌｏｃａｌ  Ａｒｅａ  Ｎｅｔｗｏｒｋ）やＷＡＮ（Ｗｉｄｅ  Ａｒｅａ  Ｎｅｔｗｏｒｋ）などの有線ネットワーク、ＷＬＡＮ（Ｗｉｒｅｌｅｓｓ  Ｌｏｃａｌ  Ａｒｅａ  Ｎｅｔｗｏｒｋ）などの無線ネットワーク、あるいは、ＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）などの通信プロトコルを用いたインターネットなどが挙げられる。
【００３５】
なお、無線基地局４０の通信方式は上述の例に限定されない。例えば、無線基地局４０は、無線送信端末１０とネットワーク（または他の装置）を介して接続されてもよい。また、無線基地局４０は、保守端末３０と直接的に通信を行ってもよい。
【００３６】
なお、保守端末３０とＲＦＩＤリーダライタ２０は、ネットワークを介さずに、直接的に通信を行ってもよいし、ネットワーク５０のようなネットワークを介して通信を行ってもよい。
【００３７】
以上、図１を参照しながら、本発明の実施形態に係る情報処理システムの概要について説明した。続いて、第１の実施形態に係る情報処理システムの構成例について説明する。
【００３８】
＜＜２．第１の実施形態＞＞
以下では、第１の実施形態に係る情報処理システムの構成例について説明する。まず、図２、図３を参照しながら、第１の実施形態に係る無線送信端末１０の機能構成例について説明する。
【００３９】
＜２−１．無線送信端末の機能構成例＞
以下では、図２を参照しながら、無線送信端末１０の機能構成例について説明する。図２は、本発明の実施形態に係る無線送信端末１０の機能構成例を示すブロック図である。図２に示すように、第１の実施形態に係る無線送信端末１０は、ＲＦＩＤタグＩＣ部１２０、制御部１３０、送信器１４０、アンテナ１５０、センサ部１６０、タイマ１７０、電源部１８０を備える。なお、第１の実施形態における制御部１３０は、第１の制御部に相当する。また、第１の実施形態における送信器１４０、及びアンテナ１５０は、第２の通信部に相当する。
【００４０】
（１）ＲＦＩＤタグＩＣ部１２０
ＲＦＩＤタグＩＣ部１２０は、他の装置と情報を通信する機能を有する。例えば、ＲＦＩＤタグＩＣ部１２０は、近接無線通信によりＲＦＩＤリーダライタ２０から情報を受信する。そして、ＲＦＩＤタグＩＣ部１２０は、当該情報を記憶する。
【００４１】
また、ＲＦＩＤタグＩＣ部１２０は、他の装置との通信に関する処理が完了したことを通知する機能も有する。例えば、ＲＦＩＤタグＩＣ部１２０は、ＲＦＩＤリーダライタ２０との通信において、ＲＦＩＤリーダライタ２０から受信した情報の書き込み処理が完了した場合、その旨を制御部１３０に通知する。この時、ＲＦＩＤタグＩＣ部１２０は、ｗａｋｅ信号（起動信号）を通知として制御部１３０に出力する。ここで、ｗａｋｅ信号とは、ｗａｋｅ信号の入力元が、休止状態である入力先に対して、起動を指示するための信号である。
【００４２】
なお、ＲＦＩＤタグＩＣ部１２０は、他の無線通信装置と通信を行った際の入力に基づき供給される電源により駆動する。
【００４３】
（２）制御部１３０
制御部１３０は、無線送信端末１０の動作を制御する機能を有する。第１の実施形態における制御部１３０は、基本的には休止状態であり、他の構成要素からｗａｋｅ信号を入力されることで起動する。そして、制御部１３０は、ｗａｋｅ信号の入力元に応じた処理を実行する。例えば、ｗａｋｅ信号の入力元がＲＦＩＤタグＩＣ部１２０である場合、制御部１３０は、ＲＦＩＤタグＩＣ部１２０からｗａｋｅ信号を入力されたことで起動し、ＲＦＩＤタグＩＣ部１２０の記憶部に記憶されたユーザデータを読み込む。ここで、ユーザデータとは、無線送信端末１０の管理番号、パラメータ設定情報、コマンド等である。当該ユーザデータにコマンドが記載されている場合、制御部１３０は、当該コマンドを実行する。そして、制御部１３０は、当該コマンドによる処理の実行終了後に再度休止状態となる。制御部１３０は、コマンド処理の実行終了後に再度休止状態となることで、消費電力を削減することができる。
【００４４】
ここで、コマンド処理とは、制御部１３０の内部パラメータの設定に関する処理である。当該設定とは、例えば、内部パラメータの更新、追加、及び削除である。また、内部パラメータとは、例えば、上述した消火器の有効期限等の情報であり、制御部１３０は、コマンド処理の実行により、消火器の有効期限等の情報の更新、追加、及び削除等を行うことができる。また、コマンド処理は、データ送信の停止、及びデータのテスト送信を実行する処理であってもよい。
【００４５】
また、ｗａｋｅ信号の入力元がセンサ部１６０である場合、制御部１３０は、センサ部１６０からｗａｋｅ信号を入力されたことで起動し、センサ部１６０からセンサデータを取得する。センサデータを取得した制御部１３０は、当該センサデータを送信器１４０へ出力する。そして、制御部１３０は、センサデータを送信器１４０へ出力後に再度休止状態となる。
【００４６】
また、ｗａｋｅ信号の入力元がタイマ１７０である場合、制御部１３０は、タイマ１７０からｗａｋｅ信号を入力されたことで起動し、タイマ１７０から入力されたカウント数に基づきデータの送信タイミングであるか否かを判定する。カウント数が所定のカウント数である場合、制御部１３０は、データの送信タイミングであると判定し、データを送信器１４０へ出力する。そして、制御部１３０は、データを送信器１４０へ出力後に再度休止状態となる。また、カウント数が所定のカウント数でない場合、制御部１３０は、データの送信タイミングでないと判定し、データを送信器１４０へ出力しない。なお、所定のカウント数の設定値は特に限定されず、任意の値が設定されてもよい。
【００４７】
なお、カウント数に基づき送信タイミングであるか否かを判定されるデータとは、無線送信端末１０から、他の無線通信装置に対して定期的に送信されるデータのことである。例えば、当該データは、無線送信端末１０から保守端末３０に対して定期的に送信される保守に関するデータである。具体的に、当該データは、設定情報等が含まれるユーザデータであってもよいし、センサ部１６０が計測したデータであってもよく、データの種類は特に限定されない。
【００４８】
また、制御部１３０は、無線送信端末１０が起動された際にも起動する。無線送信端末１０の起動により起動された制御部１３０は、無線送信端末１０の初期設定処理を実行し、当該初期設定処理の実行終了後に休止状態となる。制御部１３０は、初期設定処理の実行終了後に休止状態となることで、消費電力を削減することができる。
【００４９】
なお、制御部１３０は、電源部１８０から供給される電源により駆動する。また、制御部１３０は、ＲＦＩＤタグＩＣ部１２０、送信器１４０、及びセンサ部１６０に電源を供給する制御を行う機能も有する。
【００５０】
上述のように、制御部１３０は、基本的には休止状態であり、他の部からｗａｋｅ信号受信した時のみ起動し、処理の終了後に再度休止状態となることで、処理実行時以外の消費電力を削減することができる。また、制御部１３０は、他の部が制御部１３０による処理を必要とする時にｗａｋｅ信号を受信して起動するため、休止状態であっても他の部からの要求に対する即応性を確保することができる。
【００５１】
（３）送信器１４０
送信器１４０は、データを送信する機能を有する。例えば、送信器１４０は、制御部１３０から入力されるデータをアンテナ１５０へ出力し、アンテナ１５０に当該データを送信させる。なお、第１の実施形態における第２の通信部は、当該送信器１４０のみを有するため、送信機能のみを利用可能である。第１の実施形態の無線送信端末１０は、第２の通信部が送信機能のみを有し、受信機能がないことにより、受信機能を有していた場合に受信機能を利用することで消費される電力を削減することができる。
【００５２】
なお、送信器１４０は、制御部１３０から供給される電源により駆動する。
【００５３】
（４）アンテナ１５０
アンテナ１５０は、アンテナ素子を有し、送信器１４０から入力された送信信号を他の通信装置へ送信する機能を有する。
【００５４】
（５）センサ部１６０
センサ部１６０は、無線送信端末１０が搭載された対象に関する情報、または無線送信端末１０の周囲の情報を計測する機能を有する。例えば、センサ部１６０は、センサとして加速度センサを備える。当該加速度センサにより、センサ部１６０は、無線送信端末１０が搭載された対象が場所を移動された際に加速度を計測することができる。
【００５５】
また、センサ部１６０は、センサによりデータを計測すると、その旨を知らせる通知としてｗａｋｅ信号を制御部１３０に出力する。そして、センサ部１６０は、当該ｗａｋｅ信号を入力されたことにより起動した制御部１３０からの要求に応じて、計測したデータを制御部１３０へ出力する。例えば、制御部１３０は、上述した加速度を入力された場合、当該加速度に基づき対象が場所を移動されたと判定することができる。
【００５６】
なお、センサ部１６０は、制御部１３０から供給される電源により駆動する。
【００５７】
（６）タイマ１７０
タイマ１７０は、カウントを取る機能、及び所定の間隔で通知を送信する機能を有する。例えば、タイマ１７０は、カウントを取りつつ、所定の間隔でカウント数とｗａｋｅ信号を制御部１３０に出力する。なお、所定の間隔の設定値については特に限定されない。例えば、当該設定値としてカウント数が設定されてもよい。その場合、タイマ１７０は、当該カウント数だけカウントするごとにｗａｋｅ信号を制御部１３０に送信する。また、当該設定値として時間が設定されてもよい。その場合、タイマ１７０は、当該時間が経過するごとにｗａｋｅ信号を制御部１３０に送信する。
【００５８】
なお、タイマ１７０は、電源部１８０から供給される電源により駆動する。
【００５９】
（７）電源部１８０
電源部１８０は、電源を供給する機能を有する。例えば、電源部１８０は、制御部１３０、及びタイマ１７０のみに電源を供給する。なお、電源部１８０における発電源は、ボタン電池であることが望ましいが、発電源の種類は特に限定されない。
【００６０】
以上、図２を参照しながら、第１の実施形態に係る無線送信端末１０の機能構成例について説明した。続いて、第１の実施形態に係るＲＦＩＤタグＩＣ部１２０の機能構成例について説明する。
【００６１】
＜２−２．ＲＦＩＤタグＩＣ部の機能構成例＞
以下では、図３を参照しながら、ＲＦＩＤタグＩＣ部１２０の機能構成例について説明する。図３は、本発明の実施形態に係るＲＦＩＤタグＩＣ部１２０の機能構成例を示すブロック図である。図３に示すように、第１の実施形態に係るＲＦＩＤタグＩＣ部１２０は、アンテナ１２１、整流回路１２２、キャパシタ１２３、復調回路１２４、プロトコル制御回路１２５、変調回路１２７、不揮発性メモリ１２９を備える。なお、第１の実施形態におけるアンテナ１２１は、第１の通信部に相当する。また、第１の実施形態におけるプロトコル制御回路１２５は、第２の制御部に相当する。
【００６２】
（１）アンテナ１２１
アンテナ１２１は、アンテナ素子を有し、他の通信装置と信号を送受信する機能を有する。例えば、アンテナ１２１は、ＲＦＩＤリーダライタ２０と近接無線通信により信号を送受信する。アンテナ１２１は、ＲＦＩＤリーダライタ２０から信号を受信すると、信号を受信した際の受信電圧を整流回路１２２へ出力する。また、アンテナ１２１は、受信した信号を復調回路１２４へ出力する。また、アンテナ１２１は、変調回路１２７から信号を入力されると、入力された信号をＲＦＩＤリーダライタ２０へ送信する。
【００６３】
（２）整流回路１２２
整流回路１２２は、交流を直流に変換する機能を有する回路である。例えば、整流回路１２２は、アンテナ１２１が信号を受信した際の受信電圧に基づく電気を交流から直流に変換し、キャパシタ１２３に出力する。
【００６４】
（３）キャパシタ１２３
キャパシタ１２３は、所定の電気容量を有し、電気を蓄えることや放出することができる蓄電池としての機能を有する。例えば、キャパシタ１２３は、整流回路１２２から入力された電気を蓄える。そして、キャパシタ１２３は、当該電気を放出することで、ＲＦＩＤタグＩＣ部１２０の各部に電源を供給する。
【００６５】
（４）復調回路１２４
復調回路１２４は、信号を復調する機能を有する。例えば、復調回路１２４は、アンテナ１２１が受信した信号を復調することで、信号からデータを取得し、当該データをプロトコル制御回路１２５に出力する。
【００６６】
（５）プロトコル制御回路１２５
プロトコル制御回路１２５は、データ処理に関する制御を行う機能を有する。例えば、プロトコル制御回路１２５は、不揮発性メモリ１２９に対するデータの書き込み処理、及び読み出し処理を制御する。具体的に、プロトコル制御回路１２５は、復調回路１２４から入力されたデータを不揮発性メモリ１２９に書き込む処理を行う。また、プロトコル制御回路１２５は、不揮発性メモリ１２９からデータの読み出し処理を行い、読み出したデータを変調回路１２７へ出力する。
【００６７】
また、プロトコル制御回路１２５は、データ処理に関する通知を行う機能を有する。例えば、プロトコル制御回路１２５は、不揮発性メモリ１２９に対するデータの書き込み処理が終了した際に、その旨を示す通知をｗａｋｅ信号として制御部１３０に出力する。
【００６８】
（６）変調回路１２７
変調回路１２７は、データを変調する機能を有する。例えば、変調回路１２７は、プロトコル制御回路１２５から入力されたデータを変調することで、データを信号に変換し、アンテナ１２１へ出力する。
【００６９】
（７）不揮発性メモリ１２９
不揮発性メモリ１２９は、情報処理に関するデータを記憶する機能を有する。不揮発性メモリ１２９に対して、ＲＦＩＤタグＩＣ部１２０の内部のプロトコル制御回路１２５、及びＲＦＩＤタグＩＣ部１２０の外部の制御部１３０が、データの書き込み処理、及び読み出し処理を行うことができる。不揮発性メモリ１２９は、複数の記憶領域を有する。例えば、不揮発性メモリ１２９は、ＩＤ情報を記憶する領域である無線ＩＤ領域を有する。当該無線ＩＤ領域には、ＲＦＩＤタグＩＣ部１２０に固有のＲＦＩＤが記憶される。ＲＦＩＤとは、具体的に、ＲＦＩＤタグＩＣ部１２０の製造段階で製造業者によって割り当て設定された固有のＩＤである。
【００７０】
また、不揮発性メモリ１２９は、ユーザが任意のデータを書き込むことができる領域であるユーザ領域を有する。当該ユーザ領域には、無線送信端末１０の管理番号、パラメータ設定情報、無線送信端末１０の制御部１３０が実行するコマンド等のユーザデータが記憶される。
【００７１】
ここで、不揮発性メモリ１２９としては、例えば、ＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）や、フラッシュメモリなどが挙げられる。
【００７２】
また、不揮発性メモリ１２９は、例えば、耐タンパ性を有してもよい。不揮発性メモリ１２９のような耐タンパ性を有するセキュアな記録媒体にデータが記憶されることによって、無線送信端末１０におけるデータのセキュリティが確保される。
【００７３】
以上、図３を参照しながら、第１の実施形態に係るＲＦＩＤタグＩＣ部１２０の機能構成例について説明した。
【００７４】
以上、図２、図３を参照しながら、第１の実施形態に係る無線送信端末１０の構成例について説明した。続いて、第１の実施形態に係る情報処理システムの動作例について説明する。
【００７５】
＜２−３．動作例＞＞
以下では、図４〜図６を参照しながら、第１の実施形態に係る情報処理システムの動作例について説明する。まず、図４を参照しながら、第１の実施形態に係る無線送信端末１０の起動処理について説明する。図４は、本発明の実施形態に係る起動処理の例を示すフローチャートである。
【００７６】
図４に示すように、無線送信端末１０の制御部１３０は、無線送信端末１０の起動時に初期化処理を実行する（ステップＳ１０００）。当該初期化処理として、制御部１３０は、ＲＦＩＤタグＩＣ部１２０の不揮発性メモリ１２９からユーザデータを読み込む（ステップＳ１００２）。読み込んだユーザデータに設定値が設定されている場合（ステップＳ１００４／ＹＥＳ）、当該設定値を初期値として設定する（ステップＳ１００６）。
【００７７】
また、読み込んだユーザデータに設定値が設定されていない場合（ステップＳ１００４／ＮＯ）、予め制御部１３０に登録されている設置値を初期値として設定する（ステップＳ１００８）。
【００７８】
初期化処理完了後、制御部１３０は、ｗａｋｅ信号を検出するまで休止状態となる（ステップＳ１０１０）。
【００７９】
以上、図４を参照しながら、第１の実施形態に係る無線送信端末１０の起動処理について説明した。続いて、図５、図６を参照しながら、第１の実施形態に係る無線送信端末１０の検知処理について説明する。図５は、本発明の実施形態に係る検知処理の例を示すフローチャートである。図６は、第１の実施形態に係るコマンド処理の例を示すフローチャートである。
【００８０】
制御部１３０は、休止状態にて通知を検出すると、休止状態から復帰し、通知の入力元に応じた検知処理を行う。図５に示すように、制御部１３０は、まず、通知がＲＦＩＤタグＩＣ部１２０からの通知であるか否かを確認する（ステップＳ２０００）。通知がＲＦＩＤタグＩＣ部１２０からの通知である場合（ステップＳ２０００／ＹＥＳ）、制御部１３０はコマンド処理を実行する（ステップＳ２００２）。
【００８１】
また、通知がＲＦＩＤタグＩＣ部１２０からの通知でない場合（ステップＳ２０００／ＮＯ）、制御部１３０は、ステップＳ２００４の処理を実行する。
【００８２】
ここで、図６を参照しながら、ステップＳ２００２におけるコマンド処理の詳細について説明する。図６に示すように、まず、制御部１３０は、ＲＦＩＤタグＩＣ部１２０の不揮発性メモリ１２９からユーザデータを読み込む（ステップＳ３０００）。制御部１３０は、読み込んだユーザデータの内容を確認し、コマンドが記載されているか否かを確認する（ステップＳ３００２）。コマンドが記載されている場合（ステップＳ３００２／ＹＥＳ）、制御部１３０は、コマンドを実行する（ステップＳ３００４)。コマンド実行後、制御部１３０は、ステップＳ２００４の処理を実行する。
【００８３】
また、コマンドが記載されていない場合（ステップＳ３００２／ＮＯ）、制御部１３０は、コマンドを実行せずにステップＳ２００２におけるコマンド処理を終了し、ステップＳ２００４の処理を実行する。
【００８４】
ステップＳ２００４では、制御部１３０は、通知がセンサ部１６０からの通知であるか否かを確認する（ステップＳ２００４）。通知がセンサ部１６０からの通知である場合（ステップＳ２００４／ＹＥＳ）、制御部１３０は、センサ部１６０からセンサデータを取得する（ステップＳ２００６）。制御部１３０は、取得したセンサデータを送信器１４０に出力し、アンテナ１５０から他の装置へ送信させる（ステップＳ２００８）。そして、制御部１３０は、ステップＳ２０１０の処理を実行する。
【００８５】
また、通知がセンサ部１６０からの通知でない場合（ステップＳ２００４／ＮＯ）、制御部１３０は、ステップＳ２０１０の処理を実行する。
【００８６】
ステップＳ２０１０では、制御部１３０は、通知がタイマ１７０からの通知であるか否かを確認する（ステップＳ２０１０）。通知がタイマ１７０からの通知である場合（ステップＳ２０１０／ＹＥＳ）、制御部１３０は、さらに、データの送信タイミングであるか否かを確認する（ステップＳ２０１２）。データの送信タイミングである場合（ステップＳ２０１２／ＹＥＳ）、制御部１３０は、データを送信器１４０に出力し、アンテナ１５０から他の装置へ送信させる（ステップＳ２０１４）。
【００８７】
また、通知がタイマ１７０からの通知でない場合（ステップＳ２０１０／ＮＯ）、制御部１３０は、ステップＳ２０１６の処理を実行する。また、データの送信タイミングでない場合（ステップＳ２０１２／ＮＯ）、制御部１３０は、ステップＳ２０１６の処理を実行する。
【００８８】
上述した検知処理の終了後、制御部１３０は、再度ｗａｋｅ信号を検出するまで休止状態となる（ステップＳ２０１６）。
【００８９】
以上、図５、図６を参照しながら、第１の実施形態に係る無線送信端末１０の検知処理について説明した。
【００９０】
以上、図４〜６を参照しながら、第１の実施形態に係る情報処理システムの動作例について説明した。
【００９１】
以上、図１〜６を参照しながら、第１の実施形態について説明した。続いて、第２の実施形態について説明する。
【００９２】
＜＜３．第２の実施形態＞＞
第１の実施形態では、制御部１３０は、コマンド実行後にコマンド処理のフローを終了する例について説明したが、第２の実施形態では、制御部１３０は、コマンド実行後にもう１処理を行ってからコマンド処理のフローを終了する例について説明する。
【００９３】
＜３−１．無線送信端末の機能構成例＞
無線送信端末１０の機能構成例は、＜２―１．無線送信端末の機能構成例＞にて説明した内容と同一であり、重複した説明を避けるため、本節での説明を省略する。
【００９４】
＜３−２．ＲＦＩＤタグＩＣ部の機能構成例＞
ＲＦＩＤタグＩＣ部１２０の機能構成例は、＜２―２．ＲＦＩＤタグＩＣ部の機能構成例＞にて説明した内容と同一であり、重複した説明を避けるため、本節での説明を省略する。
【００９５】
＜３−３．動作例＞
以下では、第２の実施形態に係る情報処理システムの動作例について説明する。当該動作例が第１の実施形態の動作例と異なる点は、無線送信端末１０のコマンド処理のフローである。したがって、以下では、第１の実施形態と異なるコマンド処理の例について、図７を参照しながら説明する。なお、第２の実施形態に係る無線送信端末１０の起動処理、及び検知処理は、＜２−３．動作例＞にて説明した内容と同一の処理であり、重複した説明を避けるため、本節での説明を省略する。
【００９６】
図７は、第２の実施形態に係るコマンド処理の例を示すフローチャートである。第２の実施形態に係るコマンド処理のフローでは、第１の実施形態のコマンド処理のフローと比較し、コマンド実行後の処理が追加されている。例えば、図７に示すように、制御部１３０は、コマンド実行後（ステップＳ３００４）、当該コマンドの実行結果を不揮発性メモリ１２９に書き込む処理を行う（ステップＳ３００６）。ここで、実行結果とは、例えば、制御部１３０がコマンドを実行した時刻、及びコマンドの実行が成功したか否かを示すステータスなどである。そして、書き込み処理終了後、制御部１３０は、コマンド処理のフローを終了する。
【００９７】
上述のように、制御部１３０がコマンドの実行結果を不揮発性メモリ１２９に書き込んでおくことで、ＲＦＩＤリーダライタ２０は、不揮発性メモリ１２９に書き込まれた当該実行結果を読み取り、コマンド処理の実行結果を取得することができる。
【００９８】
以上、第２の実施形態について説明した。続いて、本発明の実施形態に係る無線送信端末１０のハードウェア構成について説明する。
【００９９】
＜＜４．ハードウェア構成＞＞
最後に、図８を参照しながら、本発明の実施形態に係る無線送信端末１０ハードウェア構成例について説明する。図８は、本発明の実施形態に係る無線送信端末１０のハードウェア構成例を示すブロック図である。本発明の実施形態に係る無線送信端末１０による処理は、ソフトウェアと、以下に説明するハードウェアとの協働により実現される。
【０１００】
図８に示すように、無線送信端末１０は、ＣＰＵ（Ｃｅｎｔｒａｌ  Ｐｒｏｃｅｓｓｉｎｇ  Ｕｎｉｔ）１０１と、ＲＯＭ（Ｒｅａｄ  Ｏｎｌｙ  Ｍｅｍｏｒｙ）１０３と、ＲＡＭ（Ｒａｎｄｏｍ  Ａｃｃｅｓｓ  Ｍｅｍｏｒｙ）１０５を備える。また、無線送信端末１０は、入力部１０７と、ストレージ部１０９と、ネットワークインタフェース１１１とを備える。
【０１０１】
ＣＰＵ１０１は、演算処理装置および制御装置として機能し、各種プログラムに従って無線送信端末１０内の動作全般を制御する。また、ＣＰＵ１０１は、マイクロプロセッサであってもよい。ＲＯＭ１０３は、ＣＰＵ１０１が使用するプログラムや演算パラメータ等を記憶する。ＲＡＭ１０５は、ＣＰＵ１０１の実行において使用するプログラムや、その実行において適宜変化するパラメータ等を一時記憶する。これらはＣＰＵバスなどから構成されるホストバスにより相互に接続されている。ＣＰＵ１０１、ＲＯＭ１０３およびＲＡＭ１０５は、例えば、図２を参照して説明した制御部１３０の機能を実現し得る。
【０１０２】
入力部１０７は、センサ情報、及び設定情報等が入力されるための入力手段と、入力に基づいて入力信号を生成し、ＣＰＵ２０２に出力する入力制御回路などから構成されている。入力部１０７は、例えば、図２を参照して説明したセンサ部１６０の機能を実現し得る。
【０１０３】
ストレージ部１０９は、データ格納用の装置である。ストレージ部１０９は、記憶媒体、記憶媒体にデータを記録する記録装置、記憶媒体からデータを読み出す読出し装置および記憶媒体に記録されたデータを削除する削除装置などを含んでもよい。ストレージ部１０９は、例えば、ＨＤＤ（Ｈａｒｄ  Ｄｉｓｋ  Ｄｒｉｖｅ）またはＳＳＤ（Ｓｏｌｉｄ  Ｓｔｒａｇｅ  Ｄｒｉｖｅ）、あるいは同等の機能を有するメモリ等で構成される。このストレージ部１０９は、ストレージを駆動し、ＣＰＵ１０１が実行するプログラムや各種データを格納する。ストレージ部１０９は、例えば、図３を参照して説明した不揮発性メモリ１２９の機能を実現し得る。
【０１０４】
ネットワークインタフェース１１１は、例えば、ネットワークに接続するための通信デバイス等で構成された通信インタフェースである。かかる通信インタフェースは、例えば、Ｂｌｕｅｔｏｏｔｈ（登録商標）またはＺｉｇＢｅｅ（登録商標）等の近距離無線通信インタフェースである。近接無線通信インタフェースであるネットワークインタフェース１１１は、例えば、図３を参照して説明したアンテナ１２１の機能を実現し得る。また、通信インタフェースは、送信機能のみを有する通信装置でも利用可能な通信インタフェースであってもよい。送信機能のみを有する通信装置でも利用可能な通信インタフェースであるネットワークインタフェース１１１は、例えば、図２を参照して説明した送信器１４０、アンテナ１５０の機能を実現し得る。
【０１０５】
以上、図８を参照しながら、無線送信端末１０のハードウェア構成例について説明した。
【０１０６】
＜＜５．むすび＞＞
以上説明したように、本発明の実施形態に係る無線送信端末１０は、ＲＦＩＤタグＩＣ部１２０と制御部１３０を備える。ＲＦＩＤタグＩＣ部１２０は、ＲＦＩＤリーダライタ２０と近接無線通信を行うことにより駆動する。そして、ＲＦＩＤタグＩＣ部１２０は、当該近接無線通信により受信するデータを記憶し、データの記憶処理の終了後にｗａｋｅ信号を制御部１３０に送信する。また、制御部１３０は、ＲＦＩＤタグＩＣ部１２０からｗａｋｅ信号を入力されることで起動し、ＲＦＩＤタグＩＣ部１２０に記憶されたデータに基づくコマンド処理を実行する。
【０１０７】
以上より、無線送信端末１０は、制御部１３０がｗａｋｅ信号を入力されることで起動するため、制御部１３０が起動していない時には消費電力を削減することができる。また、無線送信端末１０は、制御部１３０がｗａｋｅ信号を入力されることで起動して処理を実行するため、他の部が制御部１３０による処理が必要な際にｗａｋｅ信号を出力することで、即応性を損なわずに処理を実行することができる。
【０１０８】
よって、即応性を確保しつつ消費電力を削減することが可能な、新規かつ改良された情報処理装置を提供することが可能である。
【０１０９】
＜＜６．補足＞＞
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【０１１０】
なお、上述の実施形態では、情報処理装置を無線送信端末に適用する例について説明したが、情報処理装置の適用例は上述の例に限定されない。例えば、情報処理装置は、商用電源を用いる機器が非通電状態である際に、当該機器の設定変更を行うことに適用されてもよい。また、情報処理装置は、発光ダイオードや液晶パネル等を用いた表示機器の表示内容の変更を行うことにも適用されてもよい。
【０１１１】
なお、本明細書の情報処理システムの処理における各ステップは、必ずしもフローチャートとして記載された順序に沿って時系列に処理する必要はない。例えば、情報処理システムの処理における各ステップは、フローチャートとして記載した順序と異なる順序で処理されても、並列的に処理されてもよい。また、追加的な処理ステップが採用されてもよく、一部の処理ステップが省略されてもよい。
【符号の説明】
【０１１２】
１０    無線送信端末
２０    ＲＦＩＤリーダライタ
３０    保守端末
４０    無線基地局
５０    ネットワーク
１２０  ＲＦＩＤタグＩＣ部
１２１  アンテナ
１２２  整流回路
１２３  キャパシタ
１２４  復調回路
１２５  プロトコル制御回路
１２７  変調回路
１２９  不揮発性メモリ
１３０  制御部
１４０  送信器
１５０  アンテナ
１６０  センサ部
１７０  タイマ
１８０  電源部
【図１】
2019149691.tif 000003
【図２】
2019149691.tif 000004
【図３】
2019149691.tif 000005
【図４】
2019149691.tif 000006
【図５】
2019149691.tif 000007
【図６】
2019149691.tif 000008
【図７】
2019149691.tif 000009
【図８】
2019149691.tif 000010